(57)【要約】      （修正有）【課題】足部の内外側を充分に鍛錬でき、足部および腰部を捻って運動でき、第１摺動装置と第２摺動装置とを折って収納可能である回転式足部伸ばせ用健康機を提供する。【解決手段】台座１０と、第１及び第２摺動装置２０，３０とを含み、台座は、３６０度に回転可能な回転軸が枢着されており、回転軸に３６０度に回転可能な回転台１２が配され、第１及び第２摺動装置は、第１及び第２枢着構造２１，３１を介して回転台の第１及び第２サイドにそれぞれ枢着され、第１及び第２減衰装置４０，５０は、それぞれ第１及び第２摺動装置の自由端の滑車４１と回転台の第１及び第２サイドの滑車４１とを巻いた後、滑車から離脱できないようにその端部がそれぞれ固定ブロックに結合され、第１及び第２減衰装置は、第１及び第２摺動装置を摺動する第１及び第２ペダル２２，３２の両側にある固定具のうちの二つに、四つの固定ブロックのうちの選定された二つを固定する。【選択図】図１
0003165783.tif 000002
【実用新案登録請求の範囲】
【請求項１】
台座と、第１及び第２摺動装置と、を含み、
前記台座は、３６０度に回転可能な回転軸が枢着されており、前記回転軸に３６０度に回転可能な回転台が配され、
前記第１及び第２摺動装置は、第１及び第２枢着構造を介して前記回転台の第１及び第２サイドにそれぞれ枢着され、前記第１及び第２枢着構造により上に折って収納し、或いは水平方向に折って定位することができ、第１及び第２減衰装置は、それぞれ前記第１及び第２摺動装置の自由端の滑車と前記回転台の前記第１及び第２サイドの滑車とを巻いた後、前記滑車から離脱できないようにその端部がそれぞれ固定ブロックに結合され、前記第１及び第２減衰装置は、前記第１及び第２摺動装置を摺動する第１及び第２ペダルの両側にある固定具のうちの二つに、四つの前記固定ブロックのうちの選定された二つを固定することにより、減衰力の方向を変更可能であることを特徴とする回転式足部伸ばせ用健康機。
【請求項２】
前記第１枢着構造と前記第２枢着構造とは、一体成形された、上板と、二つのサイド板と、を含み、二つの前記サイド板は、その長さが前記上板よりも長く、水平方向に沿って延び、前記第１摺動装置と前記第２摺動装置とのロッドと枢着し、前記第１摺動装置と前記第２摺動装置との前記ロッドを水平に展開して使用する場合には、前記上板の底部により前記第１摺動装置と前記第２摺動装置との前記ロッドが適時に止められて定位し、前記第１摺動装置と前記第２摺動装置との自由端の底側に自在ホイールが枢着されており、前記自在ホイールにより前記第１摺動装置と前記第２摺動装置とは水平方向に沿って３６０度に回転可能であり、前記台座は円盤状を呈し、前記台座には、前記回転軸から上に延びるハンドル部が配されることを特徴とする、請求項１に記載の回転式足部伸ばせ用健康機。
【請求項３】
前記第１摺動装置と前記第２摺動装置とは、第１ペダルと、第２ペダルと、ローラ装置と、をそれぞれ含み、前記第１ペダルと前記第２ペダルとの底面に枢着ブッシュが配され、前記ローラ装置には、前記枢着ブッシュに対応する枢着台が設けられ、前記枢着台に前記枢着ブッシュを枢着すると相対に回転可能になり、前記各ローラ装置にローラが複数設けられ、これらの前記ローラにより前記ローラ装置は前記第１摺動装置と前記第２摺動装置との二つのサイド枠をスライド可能であり、前記第１摺動装置と前記第２摺動装置との二つの前記サイド枠には、前記第１ペダルと前記第２ペダルとのストロークの終点に止め具がそれぞれ設けられ、前記止め具により前記第１ペダルと前記第２ペダルとのストロークが規定されることを特徴とする、請求項１に記載の回転式足部伸ばせ用健康機。
【考案の詳細な説明】
【技術分野】
【０００１】
本考案は、足部伸ばせ用健康機に関し、特に、足部の内外側を充分に鍛錬でき、足部および腰部を捻って運動できる回転式足部伸ばせ用健康機に関するものである。
【背景技術】
【０００２】
従来の健康機は、人体の特定部位の筋肉に対して鍛錬可能なものが開発された。例えば足部の筋肉に対して鍛錬可能な健康機は、ランニング機、足部挟み式健康機、足踏み式健康機および筋伸ばせ式健康機などがあるが、両足の内外側の筋肉を鍛錬すると同時に、筋を伸ばせることができる健康機は極めて少ない。
【０００３】
本願の出願人は足部伸ばせ式健康機を提案した。この足部伸ばせ式健康機は、ローラ装置にペダルを枢着することにとり、ローラ装置に対してペダルが回転可能であり、そうすると、足部の捻り運動を行うことができる。
【考案の概要】
【考案が解決しようとする課題】
【０００４】
本考案の主な目的は、足部の内外側を充分に鍛錬でき、足部および腰部を捻って運動でき、減衰方向を切替可能であり、足部のオープン運動または近寄り運動をすることができ、第１摺動装置と第２摺動装置とを折って収納可能であり、輸送および収納が便利になる回転式足部伸ばせ用健康機を提供することにある。
【課題を解決するための手段】
【０００５】
本考案の回転式足部伸ばせ用健康機によると、台座と、第１及び第２摺動装置と、を含み、
前記台座は、３６０度に回転可能な回転軸が枢着されており、前記回転軸に３６０度に回転可能な回転台が配され、
前記第１及び第２摺動装置は、第１及び第２枢着構造を介して前記回転台の第１及び第２サイドにそれぞれ枢着され、前記第１及び第２枢着構造により上に折って収納し、或いは水平方向に折って定位することができ、第１及び第２減衰装置は、それぞれ前記第１及び第２摺動装置の自由端の滑車と前記回転台の前記第１及び第２サイドの滑車とを巻いた後、前記滑車から離脱できないようにその端部がそれぞれ固定ブロックに結合され、前記第１及び第２減衰装置は、前記第１及び第２摺動装置を摺動する第１及び第２ペダルの両側にある固定具のうちの二つに、四つの前記固定ブロックのうちの選定された二つを固定することにより、減衰力の方向を変更可能であることを特徴とする。
【０００６】
本考案の回転式足部伸ばせ用健康機によると、前記第１枢着構造と前記第２枢着構造とは、一体成形された、上板と、二つのサイド板と、を含み、二つの前記サイド板は、その長さが前記上板よりも長く、水平方向に沿って延び、前記第１摺動装置と前記第２摺動装置とのロッドと枢着し、前記第１摺動装置と前記第２摺動装置との前記ロッドを水平に展開して使用する場合には、前記上板の底部により前記第１摺動装置と前記第２摺動装置との前記ロッドが適時に止められて定位し、前記第１摺動装置と前記第２摺動装置との自由端の底側に自在ホイールが枢着されており、前記自在ホイールにより前記第１摺動装置と前記第２摺動装置とは水平方向に沿って３６０度に回転可能であり、前記台座は円盤状を呈し、前記台座には、前記回転軸から上に延びるハンドル部が配されることを特徴とする。
【０００７】
本考案の回転式足部伸ばせ用健康機によると、前記第１摺動装置と前記第２摺動装置とは、第１ペダルと、第２ペダルと、ローラ装置と、をそれぞれ含み、前記第１ペダルと前記第２ペダルとの底面に枢着ブッシュが配され、前記ローラ装置には、前記枢着ブッシュに対応する枢着台が設けられ、前記枢着台に前記枢着ブッシュを枢着すると相対に回転可能になり、前記各ローラ装置にローラが複数設けられ、これらの前記ローラにより前記ローラ装置は前記第１摺動装置と前記第２摺動装置との二つのサイド枠をスライド可能であり、前記第１摺動装置と前記第２摺動装置との二つの前記サイド枠には、前記第１ペダルと前記第２ペダルとのストロークの終点に止め具がそれぞれ設けられ、前記止め具により前記第１ペダルと前記第２ペダルとのストロークが規定されることを特徴とする。
【考案の効果】
【０００８】
本考案の回転式足部伸ばせ用健康機によれば、足部の内外側を充分に鍛錬でき、足部および腰部を捻って運動でき、減衰方向を切替可能であり、足部のオープン運動または近寄り運動をすることができ、第１摺動装置と第２摺動装置とを折って収納可能であり、輸送および収納が便利になるという効果を有する。
【図面の簡単な説明】
【０００９】
【図１】本考案の一実施例の組合済み状態の斜視図である。
【図２】本考案の一実施例の一部の分解斜視図である。
【図３】本考案の一実施例によりユーザが腰捻り運動を行っている状態の模式図である。
【図４】本考案の一実施例によりユーザが両足のオープン運動を行っている状態の模式図である。
【図５】本考案の一実施例によりユーザが両足の近寄り運動を行っている状態の模式図である。
【図６】本考案の一実施例の折畳んだ状態を示す模式図である。
【考案を実施するための形態】
【００１０】
以下、本考案の実施の形態を図面に基づいて説明する。
まず、図１乃至図６を参照する。本考案の一実施例の回転式足部伸ばせ用健康機は、台座１０と、第１摺動装置２０と、第２摺動装置３０と、を含む。
【００１１】
台座１０は、３６０度に回転可能な回転軸１１が枢着されており、回転軸１１に３６０度に回転可能な回転台１２が配される。
【００１２】
第１摺動装置２０は、第１枢着構造２１を介して回転台１２の第１サイド１２１に枢着され、第１枢着構造２１により上に折って収納し、又は水平方向に折って定位することができる。第２摺動装置３０は、第２枢着構造３１を介して回転台１２の第２サイド１２２に枢着され、第２枢着構造３１により上に折って収納し、又は水平方向に折って定位することができる。第１及び第２減衰装置４０、５０は、それぞれ第１及び第２摺動装置２０、３０の自由端の滑車４１と回転台１２の第１及び第２サイド１２１、１２２の滑車４１とを巻いた後、滑車４１から離脱できないようにその端部がそれぞれ固定ブロック４２に結合され、第１及び第２減衰装置４０、５０は、第１及び第２摺動装置２０、３０を摺動する第１及び第２ペダル２２、３２の両側にある固定具２２１、２２２、３２１、３２２のうちの二つに、四つの固定ブロック４２のうちの選定された二つを固定することにより、減衰力の方向を変更可能である。
【００１３】
第１枢着構造２１と第２枢着構造２２とは、一体成形された、上板２１１と、サイド板２１２、２１３と、を含む。サイド板２１２、２１３は、その長さが上板２１１よりも長く、水平方向に沿って延び、第１摺動装置２０と第２摺動装置３０とのロッドと枢着する。第１摺動装置２０と第２摺動装置３０との前記ロッドを水平に展開して使用する場合には、上板２１１の底部により第１摺動装置２０と第２摺動装置３０との前記ロッドが適時に止められて定位する。第１摺動装置２０と第２摺動装置３０との自由端の底側に自在ホイール２３が枢着されている。自在ホイール２３により第１摺動装置２０と第２摺動装置３０とは水平方向に沿って３６０度に回転可能である。
【００１４】
台座１０は円盤状を呈してもいい。台座１０には、回転軸１１から上に延びるハンドル部６０が配される。
【００１５】
第１摺動装置２０と第２摺動装置３０とは、第１ペダル２２と、第２ペダル３２と、ローラ装置２４と、をそれぞれ含む。第１ペダル２２と第２ペダル３２との底面に枢着ブッシュ２５が配される。ローラ装置２４には、枢着ブッシュ２５に対応する枢着台２４１が設けられる。枢着台２４１に枢着ブッシュ２５を枢着すると相対に回転可能になる。各ローラ装置２４にローラ２４２が複数設けられる。これらのローラ２４２によりローラ装置２４は第１摺動装置２０と第２摺動装置３０とのサイド枠２６、３３をスライド可能である。
【００１６】
第１摺動装置２０と第２摺動装置３０とのサイド枠２６、３３には、第１ペダル２２と第２ペダル３３とのストロークの終点に止め具２６１、３３１がそれぞれ設けられる。止め具２６１、３３１により第１ペダル２２と第２ペダル３２とのストロークが規定される。
【００１７】
次に、本考案の一実施例の回転式足部伸ばせ用健康機の使用方法を説明する。まず、第１摺動装置２０の第１ペダル２２と、第２摺動装置３０の第２ペダル３２とに、ユーザの両足をそれぞれ立って、両足を横方向に沿ってオープンし、又は近寄るときには、第１摺動装置２０と第２摺動装置３０とがサイド枠２６、３３をスライドする。摺動装置２０、３０が減衰装置４０、５０による引き力を受けているため、ユーザによる力が減衰装置４０、５０による引き力よりも大きくないと、摺動装置２０、３０を移動できない。ユーザが力を加えないときには、減衰装置４０、５０により摺動装置２０、３０が本来の位置に戻られる。このような動作を繰り返すことにより、両足の内外側の筋肉を鍛錬すると同時に、筋を伸ばせることができる。一方、第１ペダル２２と第２ペダル３２とは枢着ブッシュ２５を介してローラ装置２４の枢着台２４１に枢着されるため、相対に回転可能になる。そうすると、足部の伸ばせ運動を行っているときには、足部も捻られる。第１摺動装置２０と第２摺動装置３０とは、更に、回転軸１１を中心として回転可能である。これにより、足部の内外側を充分に鍛錬でき、足部および腰部を捻って運動することもできる。
【００１８】
また、第１枢着構造２１と第２枢着構造３１とにより、第１摺動装置２０と第２摺動装置３０とを折って収納可能であり、そうすると、輸送および収納が便利になる。
【産業上の利用可能性】
【００１９】
本考案は、健康機に適用することができる。
【符号の説明】
【００２０】
１０：台座
１１：回転軸
１２：回転台
２０：第１摺動装置
２１：第１枢着構造
２２：第１ペダル
２３：自在ホイール
２４：ローラ装置
２５：枢着ブッシュ
２６：サイド枠
３０：第２摺動装置
３１：第２枢着構造
３２：第２ペダル
３３：サイド枠
４０：第１減衰装置
４１：滑車
４２：固定ブロック
５０：第２減衰装置
６０：ハンドル部
１２１：第１サイド
１２２：第２サイド
２１１：上板
２１２：サイド板
２１３：サイド板
２２１：固定具
２２２：固定具
２４１：枢着台
２４２：ローラ
２６１：止め具
３２１：固定具
３２２：固定具
３３１：止め具
【図１】
0003165783.tif 000003
【図２】
0003165783.tif 000004
【図３】
0003165783.tif 000005
【図４】
0003165783.tif 000006
【図５】
0003165783.tif 000007
【図６】
0003165783.tif 000008